(57)【要約】【課題】可動カバーの回転半径を可及的に小さくし、可動カバーが開放時のスペースを小さくするようにしたスイッチ装置の保護カバーを提供する。【解決手段】セーフティプラグ２が取付けられる操作部１に固定される固定カバー４と、セーフティプラグ２を覆う第１位置とセーフティプラグ２を開放する第２位置とに亘って回動可能な可動カバー５とを備え、可動カバー５が第１位置の状態にあるときに、鍵６を取付けることにより可動カバー５の開放を防止するようにした保護カバーである。可動カバー５の回動軸（ビス７）は、固定カバー４の側壁４ｂの端部を除く位置に設けられている。なお、鍵６は、固定カバー４に取り付けられる。【選択図】  図１
2006107762.tif 000002
【特許請求の範囲】
【請求項１】
スイッチ装置が取付けられる取付面に固定される固定カバーと、スイッチ装置を覆う第１位置とスイッチ装置を開放する第２位置とに亘って回動可能な可動カバーとを備え、可動カバーが第１位置の状態にあるときに、可動カバーの開きを規制する規制手段を取付けることにより可動カバーの開放を防止するようにした保護カバーであって、
前記可動カバーの回動軸が、前記固定カバーの側壁の端部を除く位置に設けられていることを特徴とする保護カバー。
【請求項２】
前記規制手段が固定カバーと可動カバーのいずれか一方に取り付けれるように構成された、請求項１記載の保護カバー。
【請求項３】
前記固定カバーと前記可動カバーの何れか一方には、前記規制手段の係止部が挿通する規制手段取付用孔が形成されており、
前記固定カバーと前記可動カバーの何れか他方には、前記規制手段が前記規制手段取付用孔に取り付けられた際に規制手段の係止部に当接して可動カバーの開放方向への回動を規制する切欠きが形成されている、請求項２記載の保護カバー。
【請求項４】
前記可動カバーの回動軸が移動可能に構成された、請求項１記載の保護カバー。
【請求項５】
前記固定カバーの側壁と前記固定カバーの側壁に対向配置された可動カバーの側壁の何れか一方には、横方向に延びる横溝部と横溝部の端部から下方に延びる縦溝部とからなる案内溝が形成されており、
前記固定カバーの側壁と前記固定カバーの側壁に対向配置された可動カバーの側壁の何れか他方には、前記案内溝に嵌まり込み案内溝に沿って移動可能な、前記回転軸としての機能を果たす突起が形成されている、請求項４記載の保護カバー。
【請求項６】
前記スイッチ装置は、スイッチ装置に着脱自在であってスイッチ装置からの着脱によってスイッチ機能を切り替える部材を備えており、
前記部材が取り外された状態もしくは取り付けた状態で、前記可動カバーがスイッチ装置を覆う第１位置に回動させる、請求項１〜５の何れかに記載の保護カバー。
【発明の詳細な説明】
【技術分野】
【０００１】
本発明は、制御盤操作部のスイッチ装置に備えられ、産業機械等を作業者が安全に運転し得るために、産業機械等の運転停止時あるいは運転時にスイッチ装置を覆い、スイッチ装置を操作できないようにするための保護カバーの改良に関する。
【背景技術】
【０００２】
この種の保護カバーの従来技術としては、図１８に示すように、スイッチの回転つまみ１００を有するスイッチに固定された固定カバー１０１の一端部に可動カバー１０２が回動可能に取付けられている。
【０００３】
【特許文献１】実開昭６０−１１５４２３号公報（第３図参照）
【発明の開示】
【発明が解決しようとする課題】
【０００４】
しかしながら、上記特許文献１記載の保護カバーは、可動カバー１０２の回転軸が端部に備えられているので、可動カバー１０２の回転半径が大きい。そのため、可動カバー１０２の開放スペースを大きくとる必要がある。
【０００５】
本発明は、上記の実情を鑑みて考え出されたものであり、その目的は、可動カバーの回転半径を可及的に小さくし、可動カバーが開放時のスペースを小さくするようにしたスイッチ装置の保護カバーを提供することである。
【課題を解決するための手段】
【０００６】
上記目的を達成するために、本発明のうち請求項１記載の発明は、スイッチ装置が取付けられる取付面に固定される固定カバーと、スイッチ装置を覆う第１位置とスイッチ装置を開放する第２位置とに亘って回動可能な可動カバーとを備え、可動カバーが第１位置の状態にあるときに、可動カバーの開きを規制する規制手段を取付けることにより可動カバーの開放を防止するようにした保護カバーであって、前記可動カバーの回動軸が、前記固定カバーの側壁の端部を除く位置に設けられていることを特徴とする。
【０００７】
上記構成により、可動カバーの回転半径が小さくなり、可動カバーの開放スペースを小さくすることができる。
【０００８】
また、請求項２記載の発明は、請求項１記載の保護カバーであって、前記規制手段が固定カバーと可動カバーのいずれか一方に取り付けれるように構成されたことを特徴とする。
【０００９】
上記構成により、固定カバーと可動カバーの両者に規制手段を取付ける構成に比べて、保護カバーを小型化できる。
【００１０】
また、請求項３記載の発明は、請求項２記載の保護カバーであって、前記固定カバーと前記可動カバーの何れか一方には、前記規制手段の係止部が挿通する規制手段取付用孔が形成されており、前記固定カバーと前記可動カバーの何れか他方には、前記規制手段が前記規制手段取付用孔に取り付けられた際に規制手段の係止部に当接して可動カバーの開放方向への回動を規制する切欠きが形成されていることを特徴とする。
【００１１】
上記構成により、可動カバーを確実に第１位置に保持することができ、作業者の安全が確保される。
【００１２】
また、請求項４記載の発明は、請求項１記載の保護カバーであって、可動カバーの回動軸が移動可能に構成されたことを特徴とする。
【００１３】
上記構成により、さらに可動カバーの回転半径を小さくすることができる。なお、具体的な構成の一例は、請求項５記載の発明により達成される。
【００１４】
また、請求項５記載の発明は、請求項４記載の保護カバーであって、前記固定カバーの側壁と前記固定カバーの側壁に対向配置された可動カバーの側壁の何れか一方には、横方向に延びる横溝部と横溝部の端部から下方に延びる縦溝部とからなる案内溝が形成されており、前記固定カバーの側壁と前記固定カバーの側壁に対向配置された可動カバーの側壁の何れか他方には、前記案内溝に嵌まり込み案内溝に沿って移動可能な、前記回転軸としての機能を果たす突起が形成されていることを特徴とする。
【００１５】
また、請求項６記載の発明は、請求項１〜５の何れかに記載の保護カバーであって、前記スイッチ装置は、スイッチ装置に着脱自在であってスイッチ装置からの着脱によってスイッチ機能を切り替える部材を備えており、前記部材が取り外された状態もしくは取り付けた状態で、前記可動カバーがスイッチ装置を覆う第１位置に回動させることを特徴とする。
【００１６】
上記構成により、セーフティプラグやキースイッチのような、スイッチ装置からの着脱によってスイッチ機能を切り替える部材（セーフティプラグの場合にはプラグに相当、キースイッチの場合にはキーに相当）を備えたスイッチ装置の保護カバーに適用することが可能となる。
【発明の効果】
【００１７】
本発明によれば、可動カバーの回転半径を可及的に小さくすることができる。これにより、可動カバー開放時のスペースを小さくすることができる。
また、規制手段が固定カバーと可動カバーのいずれか一方に取り付けれるように構成されているので、規制手段を固定カバーと可動カバーの両者に取付ける構成に比べて、保護カバーを小型化できる。
【発明を実施するための最良の形態】
【００１８】
以下、本発明に係る保護カバーを実施の形態に基づいて詳述する。なお、本発明は、以下の実施の形態に限定されるものではない。
【００１９】
（実施の形態１）
図１は実施の形態１に係る保護カバーを備えたスイッチ装置全体の分解斜視図であり、図２は可動カバーが開放された状態における保護カバーの平面図であり、図３は可動カバーが開放された状態における保護カバーの正面図であり、図４は可動カバーが開放された状態における保護カバーの底面図であり、図５は可動カバーが開放された状態における保護カバーの側面面であり、図６は可動カバーが閉じられた状態における保護カバーの平面図であり、図７は可動カバーが閉じられた状態における保護カバーの正面図であり、図８は可動カバーが閉じられた状態における保護カバーの底面図であり、図９は可動カバーが閉じられた状態における保護カバーの側面図である。なお、図２〜図９では、図面の容易化のためセーフティプラグ（スイッチ装置に相当）は省略して描いている。
【００２０】
図１に示すように、制御盤の操作部１には、セーフティプラグ２や、その他キースイッチ、セレクトスイッチ等の複数のスイッチ装置が配置されている。これら複数のスイッチ装置に関連して、保護カバー３が備えられている。なお、セーフティプラグ２は、セーフティプラグ本体部２ａとプラグ部２ｂ（スイッチ装置に着脱自在であって、スイッチ装置からの着脱によってスイッチ機能を切り替える部材に相当）とからなり、プラグ部２ｂを本体部２ａに装着して所定方向に回転させることにより所定の機械の電源回路が導通状態となり、プラグ部２ｂを本体部２ａから取り外すことにより所定の機械の電源回路が遮断状態となるような構成されている。
【００２１】
以下の説明では、セーフティプラグ２に関連した保護カバー３を一例として説明する。
保護カバー３は、制御盤の操作部１に固定される固定カバー４と、セーフティプラグ２を覆う第１位置とセーフティプラグ２を開放する第２位置とに亘って回動可能な可動カバー５とを備え、可動カバー５が第１位置の状態にあるときに、例えば南京錠等の鍵６（可動カバー５の開きを規制する規制手段に相当）を掛けることにより可動カバー５の開放を防止するように構成されている。なお、保護カバー３は、固定カバー４がセーフティプラグ本体部２ａに装着された状態で、係止具４０によって固定されている。
【００２２】
次いで、保護カバー３の具体的な構成を説明する。固定カバー４は、底面部４ａと、底面部４ａの左右両端に一体的に形成される側壁４ｂ，４ｂとからなる。底面部４ａには、セーフティプラグ本体部２ａが挿通する挿通孔４ｃが形成されている。また、側壁４ｂには、中央部よりにビス７が挿通する挿通孔８が形成されるとともに、鍵６の係止フック６ａ（可動カバー５の開きを規制する規制手段の係止部に相当）が挿通する鍵取付用孔（規制手段取付用孔に相当）９が形成されている。挿通孔８は、鍵取付用孔９の前面側（図１の斜め前方側、図５の右側）に配置されている。
【００２３】
可動カバー５は、前面部が半円弧状に形成されたカバー本体部５ａと、カバー本体部５ａの左右両端に一体的に形成される腕部５ｂ，５ｂとからなる。腕部５ｂは、腕部本体部１２と、腕部本体部１２の前面側端部から内方側に突出した突出部１３とからなる。腕部本体部１２には、ビス７が挿通する挿通孔１４が形成されている。この腕部本体部１２の端部（図１の先端部、図５の下端部）には、円弧状の切欠き１５が形成されている。この切欠き１５は、後述するように鍵６が鍵取付用孔９に掛けられた際に、鍵６の係止フック６ａの外周面に当接して可動カバー５がセーフティプラグ２を覆う第１位置からセーフティプラグ２を開放する第２位置側への回転を規制するようになっている。
【００２４】
また、突出部１３の先端部と腕部本体部１２の先端部との間には、嵌合溝１６が形成されている。そして、後述するように鍵６が鍵取付用孔９に掛けられた際に、この嵌合溝１６が側壁４ｂには嵌り込み、可動カバー５がセーフティプラグ２を覆う第１位置よりも矢印Ｘ１方向（図９参照）に回転することが規制されている。
【００２５】
なお、固定カバー４と可動カバー５は、固定カバー４の側壁４ｂの外側に可動カバー５の腕部本体部１２が配置されて、ビス７が挿通孔８、１４を順次挿通して先端がカシメられている（図１０参照）。これにより、可動カバー５は、固定カバー４に対してビス７を回転軸として回動可能に取付けられることになる。また、ビス７の位置は、固定カバー４の側壁４ｂの中央部付近にあるので、従来例のように端部に回転軸がある構成に比べて、回転半径を小さくでき、そのため、可動カバーの開放スペースを小さくすることができる。この結果、隣接するスイッチ装置の操作の障害とならず、操作部１の面積を小さくすることができ、また、操作部１が一定の面積であれば、スイッチ装置をより多く配置することが可能となる。
【００２６】
図１１は可動カバーの回動動作状態を示す保護カバーの側面図である。図１１を参照して、保護カバーの動作について説明する。先ず、図１１（１）に示すように、可動カバー５が開放状態の場合は、セーフティプラグ本体部２ａにプラグ部２ｂが装着されている。従って、所定機械が運転状態となっている。そして、所定機械の運転停止時には、プラグ部２ｂをセーフティプラグ本体部２ａから取り外し、図１１（２）に示すように、安全のために可動カバー５を、ビス７を回転軸として矢印方向に回動させ、図１１（３）に示す可動カバー５がセーフティプラグ本体部２ａを覆う状態とする。この可動カバー５がセーフティプラグ本体部２ａを覆う第１位置では、嵌合溝１６が側壁４ｂに嵌り込み、可動カバー５がセーフティプラグ本体部２ａを覆う第１位置よりも矢印方向にさらに回転することが規制される。そして、このような状態で鍵６を鍵取付用孔９に取付ける。これにより、図１１（４）に示すように、可動カバー５の切欠き１５が鍵６の係止フック６ａ外周面に当接することになり、可動カバー５がセーフティプラグ２を覆う第１位置からセーフティプラグ２を開放する第２位置側への回転が規制される。この結果、鍵６を取り外さない限り可動カバー５を開放できないので、誤ってプラグ部２ｂをセーフティプラグ本体部２ａに装着することがなく、作業者の安全が確保される。
【００２７】
なお、参考までに述べると、図１２（１）に示すように可動カバー５にのみ鍵６を取付ける本発明の構成と、図１２（２）に示すように可動カバー５と固定カバー４の両者に鍵取付用孔９を設け、鍵６を両方の鍵取付用孔９に取付ける従来例の構成とを比較すると、図１２（１）、（２）より明らかなように、本発明の構成の方が、可動カバー５を小さくすることができる。換言すれば、本発明の方が従来例に比べて、保護カバー３を小型化することができる。
【００２８】
（実施の形態２）
図１３は実施の形態２に係る保護カバーの分解斜視図であり、図１４はその平面図であり、図１５は可動カバーが開放された状態における保護カバーの側面図であり、図１６は可動カバーが閉じられた状態における保護カバーの側面図であり、図１７は鍵が掛けられた状態の保護カバーの平面図である。本実施の形態２は、可動カバーの回転軸が移動可能に構成されていることを特徴とするものである。以下、図面を参照して、具体的構成を説明する。
【００２９】
固定カバー４の側壁４ｂには、横方向に延びる横溝部２０ａと、横溝部２０ａの端部から下方に延びる縦溝部２０ｂとからなる案内溝２０が形成されている。一方、可動カバー５は、取手５０を備えたカバー本体部５１と、カバー本体部５１の左右両端に一体的に形成された側壁５２とを有する。そして、側壁５２には、鍵取付用孔９が形成されるとともに、固定カバー４の側壁４ｂに対向配置された状態において、案内溝２０に嵌まり込み案内溝２０に沿って移動可能な突起２１，２１が形成されている。この突起２１は、可動カバー５の開閉動作における回転軸としての機能を果たす。即ち、図１５に示す可動カバー５が開放された状態から、可動カバー５を上方に持ち上げると、突起２１が案内溝２０の縦溝部２０ｂに沿って上方に案内され、次いで、突起２１が縦溝部２０ｂの上部に達した後、可動カバー５を前方（図１６の左方向）に移動させると、突起２１が横溝部２０ａに沿って前方に案内される。そして、突起２１が横溝部２０ａの端部に達すると、可動カバー５が図１６に示すように、スイッチ装置を覆う状態となる。そして、このような状態で、鍵６を鍵取付用孔９に取付けて、可動カバー５の閉じられた状態を保持する。このような構成により、実施の形態１よりもさらに可動カバー５の回転半径を小さくすることができる。
【００３０】
（その他の事項）
（１）上記実施の形態においては、スイッチ装置としてセーフティプラグを例に挙げたけれども、本発明は、キースイッチのようなスイッチ装置に着脱自在であってスイッチ装置からの着脱によってスイッチ機能を切り替える部材を備えたスイッチ装置や、セレクタスイッチ装置等広範囲のスイッチ装置に適用することができる。
【００３１】
（２）上記実施の形態では、鍵として南京錠を例に挙げたけれども、その他、掛け金や、ピン等を鍵の替りに使用するようにしてもよい。要するに、スイッチ装置を手で操作できないように可動カバーの開きを規制できるものであればよい。
【００３２】
（３）上記実施の形態２では、固定カバー４の側壁４ｂに、案内溝２０を形成し、可動カバー５の側壁５２に、案内溝２０に嵌まり込み案内溝２０に沿って移動可能な突起２１を形成したけれども、可動カバー５の側壁５２に案内溝２０を形成し、固定カバー４の側壁４ｂに突起２１を形成するような構成であってもよい。
【産業上の利用可能性】
【００３３】
本発明は、スイッチ装置の保護カバーに好適に実施することができる。
【図面の簡単な説明】
【００３４】
【図１】実施の形態１に係る保護カバーを備えたスイッチ装置全体の分解斜視図である。
【図２】実施の形態１に係る、可動カバーが開放された状態における保護カバーの平面図である。
【図３】実施の形態１に係る、可動カバーが開放された状態における保護カバーの正面図である。
【図４】実施の形態１に係る、可動カバーが開放された状態における保護カバーの底面図である。
【図５】実施の形態１に係る、可動カバーが開放された状態における保護カバーの側面面である。
【図６】実施の形態１に係る、可動カバーが閉じられた状態における保護カバーの平面図である。
【図７】実施の形態１に係る、可動カバーが閉じられた状態における保護カバーの正面図である。
【図８】実施の形態１に係る、可動カバーが閉じられた状態における保護カバーの底面図である。
【図９】実施の形態１に係る、可動カバーが閉じられた状態における保護カバーの側面図である。
【図１０】ビス７が挿通孔８、１４に挿通された状態を示す断面図である。
【図１１】可動カバーの回動動作状態を示す保護カバーの側面図である。
【図１２】図１２（１）は可動カバー５にのみ鍵６を取付ける本発明の構成図であり、図１２（２）は可動カバー５と固定カバー４の両者に鍵６を取付ける従来例の構成図である。
【図１３】実施の形態２に係る保護カバーの分解斜視図である。
【図１４】実施の形態２に係る保護カバーの平面図である。
【図１５】実施の形態２に係る、可動カバーが開放された状態における保護カバーの側面図である。
【図１６】実施の形態２に係る、可動カバーが閉じられた状態における保護カバーの側面図である。
【図１７】実施の形態２に係る、鍵が掛けられた状態の保護カバーの平面図である。
【図１８】従来例の斜視図である。
【符号の説明】
【００３５】
１：操作部
２：セーフティプラグ
３：保護カバー
４：固定カバー
４ｂ：固定カバー４の側壁
５：可動カバー
６：鍵
６ａ：係止フック
７：ビス
９：鍵取付用孔
１５：切欠き
１６：嵌合溝
２０：案内溝
２０ａ：横溝部
２０ｂ：縦溝部
２１：突起
【図１】
2006107762.tif 000003
【図２】
2006107762.tif 000004
【図３】
2006107762.tif 000005
【図４】
2006107762.tif 000006
【図５】
2006107762.tif 000007
【図６】
2006107762.tif 000008
【図７】
2006107762.tif 000009
【図８】
2006107762.tif 000010
【図９】
2006107762.tif 000011
【図１０】
2006107762.tif 000012
【図１１】
2006107762.tif 000013
【図１２】
2006107762.tif 000014
【図１３】
2006107762.tif 000015
【図１４】
2006107762.tif 000016
【図１５】
2006107762.tif 000017
【図１６】
2006107762.tif 000018
【図１７】
2006107762.tif 000019
【図１８】
2006107762.tif 000020